(57)【特許請求の範囲】
【請求項１】
管・ケーブルの外周に着脱自在に取付けられて、管・ケーブルの用途を表示する表示プレートであって、
外面に複数種類のネームが表示された表示体と、前記表示体に表示された特定のネームを表出する表示窓が形成された横断面略Ｃ字状のプレート部材と、を具備し、
前記表示体を前記表示窓を挟んだ両側であって、取着される管・ケーブルの周方向側又は、取着される管・ケーブルの長手方向側、に配置された軸間に架設されるベルト部材で構成し、前記軸を回動させることで、前記表示体のネームが表示窓に対して移動して、特定のネームを選択して表示窓に表出させることができることを特徴とする管・ケーブルの表示プレート。
【請求項２】
管・ケーブルの外周に着脱自在に取付けられて、管・ケーブルの用途を表示する表示プレートであって、
長尺帯状であって、外面に複数種類のネームが、前記帯状長手方向に沿って配列表示される表示体と、
前記表示体に表示された特定のネームを表出する表示窓が形成されると共に横断面が略Ｃ字状に形成されることにより弾性が付与されたプレート部材とを具備し、
前記プレート部材は、前記ネームを表示窓の表出させた位置で前記表示体を帯状長手方向に摺動可能に保持する係止突片を備え、
前記表示体を前記係止突片に保持させた状態で、プレート部材に対して当該表示体を帯状長手方向に摺動させることで、前記表示体に表示された特定のネームを選択して表示窓に表出させることができることを特徴とする管・ケーブルの表示プレート。
【請求項３】
管・ケーブルの外周に着脱自在に取付けられて、管・ケーブルの用途を表示する表示プレートであって、
外面に複数種類のネームが取着される管・ケーブルの長手方向に配列表示されると共に横断面が略Ｃ字状に形成されることにより弾性が付与された表示体と、
前記表示体に表示された特定のネームを表出する表示窓が形成されたプレート部材と、を具備し、
当該プレート部材を前記ネームの配列方向に表示体の外面に沿って摺動させることで前記表示窓が表示体のネームに対して移動して、特定のネームを選択して表示窓に表出させるべく、
前記表示体に対してプレート部材を表示体が取着される管・ケーブルの長手方向に摺動可能に表示体に係合又は重着されたことを特徴とする管・ケーブルの表示プレート。
【発明の詳細な説明】
【０００１】
【発明の属する技術分野】
本発明は、管・ケーブルの端末部などに取付けられてその用途を表示する管・ケーブルの表示プレートに関するものである。
【０００２】
【従来の技術】
従来、この種の管・ケーブルの表示プレートとして、図９に示したものがある。
図において、表示プレート１は合成樹脂板等からなり、その外面に印刷等によってネーム７が表示されたもので、鞘管２１等の管・ケーブルの端末部などに取付けられる。表示プレート１のネーム７は、例えば、「洗面」、「台所流し」など、管・ケーブルの接続対象である用途表示を行なうものが記載されている。
【０００３】
表示プレート１は、断面が略Ｃ字状に形成されているので、その切欠開口を鞘管２１の外面に側方から押込むことによって、外方に弾性的に拡開した後、鞘管２１に外嵌される。
【０００４】
このような表示プレート１を使用することによって、各管・ケーブルの接続対象が明確となり、特に多数の管・ケーブルが集中するヘッダーなどにおいて、配管違いを防止でき、配管作業を確実に行なうことができる。
【０００５】
【発明が解決しようとする課題】
しかし、従来の管・ケーブルの表示プレート１は、それぞれ一つのネーム７が表示されたものであるため、用途に応じた複数種類の表示プレート１を予め多く用意しておかねばならず、部品管理が大変であり、配管作業時にはその都度対応する表示プレート１を捜す手間を要した。
また、一旦、鞘管２１に取付けた後、ネーム７を変更したい場合も、同様に、作業は煩雑なものとなっていた。
【０００６】
そこで、本発明は、各種の用途に簡単に対応して管・ケーブルに取付けて用途を表示することができ、また、一旦取付けた後の表示変更が容易である管・ケーブルの表示プレートの提供を課題とするものである。
【０００７】
【課題を解決するための手段】
請求項１の発明は、管・ケーブルの外周に着脱自在に取付けられて、管・ケーブルの用途を表示する表示プレートであって、
外面に複数種類のネームが表示された表示体と、前記表示体に表示された特定のネームを表出する表示窓が形成された横断面略Ｃ字状のプレート部材と、を具備し、
前記表示体を前記表示窓を挟んだ両側であって、取着される管・ケーブルの周方向側又は、取着される管・ケーブルの長手方向側、に配置された軸間に架設されるベルト部材で構成し、前記軸を回動させることで、前記表示体のネームが表示窓に対して移動して、特定のネームを選択して表示窓に表出させることができることを特徴とするものである。
【０００８】
請求項２の発明は、管・ケーブルの外周に着脱自在に取付けられて、管・ケーブルの用途を表示する表示プレートであって、
長尺帯状であって、外面に複数種類のネームが、前記帯状長手方向に沿って配列表示される表示体と、
前記表示体に表示された特定のネームを表出する表示窓が形成されると共に横断面が略Ｃ字状に形成されることにより弾性が付与されたプレート部材とを具備し、
前記プレート部材は、前記ネームを表示窓の表出させた位置で前記表示体を帯状長手方向に摺動可能に保持する係止突片を備え、
前記表示体を前記係止突片に保持させた状態で、プレート部材に対して当該表示体を帯状長手方向に摺動させることで、前記表示体に表示された特定のネームを選択して表示窓に表出させることができることを特徴とするものである。
【０００９】
請求項３の発明は、管・ケーブルの外周に着脱自在に取付けられて、管・ケーブルの用途を表示する表示プレートであって、外面に複数種類のネームが取着される管・ケーブルの長手方向に配列表示されると共に横断面が略Ｃ字状に形成されることにより弾性が付与された表示体と、前記表示体に表示された特定のネームを表出する表示窓が形成されたプレート部材と、を具備し、当該プレート部材を前記ネームの配列方向に表示体の外面に沿って摺動させることで前記表示窓が表示体のネームに対して移動して、特定のネームを選択して表示窓に表出させるべく、前記表示体に対してプレート部材を表示体が取着される管・ケーブルの長手方向に摺動可能に表示体に係合又は重着されたことを特徴とするものである。
【００１０】
本発明の表示プレートは、ケーブルの外面に弾性的に被着される。
【００１１】
【発明の実施の形態】
〈第一実施例〉
以下、本発明の第一実施例を図１乃至図４に基づいて説明する。
図において、表示プレート１は合成樹脂板等からなる横断面略Ｃ字状のプレート部材２と、前記プレート部材２の内側に嵌合する断面が略Ｃ字状に形成された表示体３とで構成されている。プレート部材２は外面中央部に透明な合成樹脂板等からなる表示窓４が一体に設けられている。なお、前記表示窓４は外側から表示体３を確認できればよいから、単なる打ち抜きであってもよい。一方、表示体３は前記プレート部材２の両側の開口先端部にそれぞれ軸５が架設され、更に、両側の軸５間に無端のベルト部材６が架設されてなり、その内側寸法は鞘管等の管・ケーブルの外径よりも僅かに小さくされて管・ケーブルの外面に弾性的に被着できるようになっている。前記ベルト部材６は合成樹脂フィルム、引張強度の大きい紙等が使用され、前記プレート部材２の内面を周方向に摺動できるようになっている。そして、ベルト部材６の外面には、「洗面」、「台所流し」などの用途を表示する複数種類のネーム７が周方向に適宜間隔で配列して記載されている。前記ネーム７は、一般には、シルク印刷などの印刷によって表示することができるが、その他、マスキング塗装など適宜選択して表示することができる。なお、前記ベルト部材６は無端ベルトとしているが、両端部の軸５に端部を巻取る有端ベルトとしてもよい。
【００１２】
次に、上記のように構成された本実施例の管・ケーブルへの表示プレートの取付け及び用途表示について説明する。
表示プレート１の管・ケーブルへの取付けは、表示プレート１の全体形状が断面略Ｃ字状に形成されて内外方向への弾性を有し、開口先端部を簡単に外方に押し広げることができるので、管・ケーブルの外方から開口先端部を押広げつつ前記管・ケーブルの外面に外嵌すればよく、外嵌後は、表示プレート１はその開口先端部が内方に弾性復帰し、管・ケーブルの周面を挟持することとなって所定位置に保持される。
【００１３】
次に、用途表示は、管・ケーブルへの取付前に、表示体３のベルト部材６を周方向に摺動させて、「洗面」、「台所流し」などの複数種類の用途が表示されたネーム７のうちから、表示したいネーム７を選択してプレート部材２の表示窓４に対向する位置に移動させる。そして、その状態で表示プレート１を管・ケーブルに被着する。
また、一旦、表示プレート１を管・ケーブルに被着した後、表示されるネーム７を変更したい場合は、表示プレート１の開口を押し広げて取外し、表示体３のベルト部材６を周方向に摺動させて変更したいネーム７をプレート部材２の表示窓４に対向する位置に移動させ、管・ケーブルに被着する。
【００１４】
このように、本実施例の管・ケーブルの表示プレートは、一定方向に回動するベルト部材６の外面に複数種類のネーム７が表示されて管・ケーブルの外周に着脱自在に被着される表示体３と、前記表示体３に表示された特定のネーム７を表出する表示窓４が形成されて前記表示体３の外面に被着されたプレート部材２とからなり、前記表示体３のネーム７とプレート部材２の表示窓４との対向位置がベルト部材６を介して相対的に移動するものである。
【００１５】
したがって、各種の用途に対応して簡単に管・ケーブルに取付けて用途表示を行なうことができ、一旦取付けた後の表示変更も簡単に行なうことができる。
また、複数種類のネーム７が一つの表示体３にまとめて表示されているので、用途表示ごとに表示プレート１を用意する煩雑さから開放され、部品管理が楽になる。
更に、ベルト部材６を使用しているので、多数のネーム７を表示体３に表示することができる。
【００１６】
ところで、上記実施例は、表示体３のベルト部材６は周方向に摺動する構造としているが、図４に示すように、管・ケーブルの長手方向に摺動する構造とすることもできる。この場合は、ネーム７は摺動方向に適宜間隔をおいて配設される。なお、各ネーム７は横文字としてもよい。
これらの実施例は、プレート部材２に対して表示体３を移動させるものであり、請求項２の態様に相当するものである。
【００１７】
また、図５乃至図７に示すように、プレート部材２の中央部にコ字状の切欠２ａによる係止突片２ｂを一体に形成し、その前面に透明板を接合、嵌合等の手段によって取付けて表示窓４を形成し、表面にネームが記載された長尺の紙等からなる表示体３を前記係止突片２ｂとの間において弾性的或いは非弾性的に保持する構成とすることもできる。ここで、図において、切欠２ａは下辺及び両側辺が切欠かれたものを示しているが、上辺及び両側辺が切欠かれたものとしてもよい。或いは、一方の側辺が切欠かれ、表示体３は上下方向に移動するものとしてもよい。
【００１８】
この実施例の場合には、表示体３の端部を把持し、水平方向に移動させることによって簡単に任意のネームを選択表示し、或いは、表示変更を行なうことができる。
なお、ネームの表示設定後、プレート部材２から外側への表示体３のはみ出し部分は簡単に破り取ってプレート部材２の両端に揃えることができるので、表示設定後の見栄えが損なわれることはない。
この実施例も、プレート部材２に対して表示体３を移動させるものであり、請求項３の態様に相当するものである。
【００１９】
〈第二実施例〉
次に、本発明の第二実施例を図８に基づいて説明する。
図において、表示プレート１は合成樹脂板等からなる横断面略Ｃ字状のプレート部材２と、前記プレート部材２の内側に嵌合する断面が略Ｃ字状に形成された表示体３とで構成されている。そして、前記プレート部材２はその開口先端部に係合段部２ｃが形成されており、表示体３の開口先端部に形成された係合段部３ａと係合して表示体３の外面を管・ケーブルの長手方向に摺動できるようになっている。また、プレート部材２はその外面中央部に透明な合成樹脂板等からなる表示窓４が一体に設けられている。なお、プレート部材２及び表示体３は係合段部が設けられることなく、単に弾性的に重着されるものであっても構わない。一方、表示体３の外面には複数種類のネーム７が管・ケーブルの長手方向に所定間隔をおいて配列表示されている。そして、表示体３の長さは複数種類のネーム７を長手方向に配列できる長さに形成されている。
【００２０】
この第二実施例の管・ケーブルの表示プレートは、表示体３を管・ケーブルの周面に外嵌でき、更に、その外面においてプレート部材２を長手方向に摺動できるから、第一実施例と同様に、各種の用途に対応して簡単に管・ケーブルに取付けて用途表示を行なうことができ、一旦取付けた後の表示変更も簡単に行なうことができるとともに、用途表示ごとに表示プレート１を用意する煩雑さから開放され、部品管理が楽になる。
【００２１】
特に、この第二実施例においては、プレート部材２を表示体３に対して長手方向に摺動できるから、表示プレート１を管・ケーブルに被着した後に、プレート部材２を摺動させてネーム７を選択表示させることもでき、また、被着後の変更表示が非常に楽になる。更に、極めて簡易な構造で、表示体３のネーム７とプレート部材２の表示窓４との対向位置を移動させることができる。
なお、この第二実施例は、表示体３に対してプレート部材２を移動させるものであり、請求項４の態様に相当するものである。
【００２２】
ところで、本発明を実施する場合には、上記各実施例に限られるものではなく、例えば、プレート部材２における表示窓４自体を別体として前記プレート部材２に対して摺動できるようにしてもよく、要するに、表示体３のネーム７とプレート部材２の表示窓４との対向位置を相対的に移動させることができれば、いかなる手段を用いてもよい。
【００２３】
【発明の効果】
以上のように、請求項１の発明の管・ケーブルの表示プレートは、外面に複数種類のネームが表示された表示体と、前記表示体に表示された特定のネームを表出する表示窓が形成されたプレート部材とを設け、前記表示体のネームの位置と前記プレート部材の表示窓の位置とを相対的に移動するようにしたものである。したがって、各種の用途に対応して簡単に管・ケーブルに取付けて用途表示を行なうことができ、一旦取付けた後の表示変更も簡単に行なうことができる。また、複数種類のネームが一つの表示体にまとめて表示されるので、用途表示ごとに表示プレートを用意する煩雑さから開放され、部品管理が楽になる。
【００２４】
請求項２の発明にかかる管・ケーブルの表示プレートは、請求項１に記載の表示体を回動するベルト部材で形成したものである。したがって、特に、表示体に多数のネームを表示することができる。
【００２５】
請求項３の発明にかかる管・ケーブルの表示プレートは、請求項１に記載の表示体を前記プレート部材に設けた係止突片によって摺動可能に保持したものである。したがって、特に、極めて簡易な構造で、表示体のネームとプレート部材の表示窓との対向位置を移動させることができる。
【００２６】
請求項４の発明にかかる管・ケーブルの表示プレートは、請求項１に記載のプレート部材を表示体に対して摺動可能に被着したものである。したがって、特に、表示プレートを管・ケーブルに被着した後に、プレート部材を摺動させてネームを選択表示させることもでき、また、被着後の変更表示が非常に楽になる。更に、極めて簡易な構造で、表示体のネームとプレート部材の表示窓との対向位置を移動させることができる。
【図面の簡単な説明】
【図１】本発明の第一実施例の管・ケーブルの表示プレートを示す一部破断斜視図である。
【図２】図１のＡ−Ａ切断線による断面図である。
【図３】図２のＢ−Ｂ切断線による断面図である。
【図４】本発明の第一実施例の別の管・ケーブルの表示プレートを示す一部破断斜視図である。
【図５】本発明の第一実施例の更に別の管・ケーブルの表示プレートを示す斜視図である。
【図６】図５の表示プレートの裏面図である。
【図７】図５のＣ−Ｃ切断線による断面図である。
【図８】本発明の第二実施例の管・ケーブルの表示プレートを示す斜視図である。
【図９】従来の管・ケーブルの表示プレートを示す斜視図である。
【符号の説明】
１    表示プレート
２    プレート部材
２ｂ  係止突片
３    表示体
４    表示窓
６    ベルト部材
７    ネーム
【図１】
0003814699.tif 000002
【図２】
0003814699.tif 000003
【図３】
0003814699.tif 000004
【図４】
0003814699.tif 000005
【図５】
0003814699.tif 000006
【図６】
0003814699.tif 000007
【図７】
0003814699.tif 000008
【図８】
0003814699.tif 000009
【図９】
0003814699.tif 000010